(57)【要約】【課題】本体部前面の操作部として使用できる領域を拡大することが可能とし、また、表示部の変移を最小限に抑えつつ本体部の前面の露出面を拡大することを可能とすること。【解決手段】  本発明は、前面に操作部を有する本体部と、本体部の前面を覆い、本体部の前面から変移させることにより操作部を露出することができる表示部（１００）と、を具備し、記操作部を露出させた際に、本体部に接近する表示部（１００）の一端側の表示画面（１０２）から背面（４１１）までの厚さ（Ｔ２１）が、他端側の表示画面（１０２）から背面（４１１）までの厚さ（Ｔ２２）よりも薄いことを特徴とする表示装置および車載用表示装置である。【選択図】図１３
2007283873.tif 000002
【特許請求の範囲】
【請求項１】
前面に操作部を有する本体部と、
該本体部の前面を覆い、前記本体部の前面から変移させることにより前記操作部を露出することができる表示部と、を具備し、
前記操作部を露出させた際に、前記本体部に接近する前記表示部の一端側の表示画面から背面までの厚さが、他端側の表示画面から背面までの厚さよりも薄いことを特徴とする表示装置。
【請求項２】
前記表示部は導光板を有し、前記導光板の前記一端側の厚さは前記他端側の厚さより薄いことを特徴とする請求項１記載の表示装置。
【請求項３】
前記表示部は発光部を有し、前記発光部は前記他端側に配置されていることを特徴とする請求項２記載の表示装置。
【請求項４】
前記発光部はＬＥＤであって、該ＬＥＤは前記導光板の前記他端側の面に臨むように配置されていることを特徴とする請求項３記載の表示装置。
【請求項５】
前記操作部には記憶媒体を挿排する挿排口が設けられていることを特徴とする請求項１記載の表示装置。
【請求項６】
前記表示部は、前記表示部の筐体内の部材を前記一端側よりも前記他端側に寄せて配置されていることを特徴とする請求項１記載の表示装置。
【請求項７】
前記表示装置は、共通の表示画面上の第１の画像および第２の画像をそれぞれ異なる方向から視認できるように表示することを特徴とする請求項１から６のいずれか一項記載の表示装置。
【請求項８】
前面に記憶媒体を挿排する挿排口を有する本体部と、
該本体部の前面を覆うように配置される表示部と、
前記本体部の前面を露出させるために前記表示部の上部を前記本体部の下方へ変移するように傾動させる駆動部と、を具備し、
前記表示部の前記上部の表示画面から背面までの厚みが、前記表示部の下部の表示画面から背面までの厚みより薄いことを特徴とする車載用表示装置。
【発明の詳細な説明】
【技術分野】
【０００１】
本発明は、表示装置および車載用表示装置に関し、特に表示部が本体部に対し変移する表示装置および車載用表示装置に関する。
【背景技術】
【０００２】
近年、車両内にてカーナビゲーションやビデオ画像を見るための表示装置が急激に普及している。表示装置として例えば車載用表示装置は運転席と助手席の間のダッシュボード部分に配置されることが多く、正面から見た大きさを定められた大きさとすることが求められている。一方で表示画面は大きくすることが求められている。そこで、図１および図２に示す車載用表示装置が用いられている。該車載用表示装置においては、表示画面１０２および操作ボタン部１５０を有する表示部１００と、表示部１００とは異なる筐体で構成される本体部１５２とからなる。図１のように、表示部１００は、本体部１５２に対して起立した状態で、その背面が本体部１５２の前面を覆っており、この状態で表示画面に画像を表示する。
【０００３】
図２のように表示部１００を傾動させることにより表示部１００を本体部１５２の前面から移動する。表示部１００を、その上側が本体部１５２側とし横向きにする。本体部１５２の前面には操作部１５４が設けられている。操作部１５４は例えばＣＤ（コンパクトディスク）／ＤＶＤ（デジタルバーサタイルディスク）用の挿排口１５５、ＭＤ（ミニディスク）用挿排口１５６、内蔵されたＨＤＤ（ハードディスクドライブ）用のコネクタ挿排口１５７、メモリカード等の記憶媒体の操作やその他のスイッチ等を有する。表示部１００が本体部１５２の前面に横向きになり本体部１５２の前面の操作部１５４が露出しているため、操作部１５４を操作することができる。
【０００４】
図１および図２の車載用表示装置によれば、表示部１００と本体部１５２とを設ける。そして、図１のように、表示部１００に画像を表示し使用する際は表示部１００は本体部１５２の前面を覆い、表示装置の表示部１００の表示画面１０２の大きさを表示装置の正面からみた大きさとほぼ同じとする。一方、図２のように、操作部１５４を本体部１５２の前面に設ける。そして、表示部１００を、図２中の矢印の方向に表示部１００の上部を本体部１５２の下方へ変移するように傾動させることにより移動させ、操作部１５４の操作を行う。このとき、表示部１００の側面に設けられた駆動用ピン（図示せず）が本体部１５２に形成され駆動用溝１５３内を移動することにより、表示部１００が本体部１５２の前面から変移し操作部１５４を露出させることができる。このように、表示部１００の表示画面１０２の大きさを表示装置の正面からみた大きさとほぼ同じとし、かつ、操作部１５４を操作することができる。
【０００５】
一方、車載用表示装置として、共通の表示画面上で異なる方向からそれぞれ異なる画像を視認できる、いわゆるマルチビューディスプレイが知られている。例えば、液晶パネルの前に視差バリアを設け、１ピクセルごとにバックライトからの光の進行方向を振り分けることで、左右において異なる情報（画像）を表示できるものが知られている（例えば、特許文献１等参照）。このような表示装置を車両に搭載することにより、運転者がナビゲーション画像を観ている間に助手席の搭乗者がテレビ等の他の画像を観ることが可能となる。
【特許文献１】特開２００５−７８０８０号公報
【発明の開示】
【発明が解決しようとする課題】
【０００６】
図１および図２の車載用表示装置においては、表示部１００を本体部１５２の前面から傾動し移動した場合も、表示部１００が横向きになった状態であり、表示部１００は本体部１５２の前面の一部を覆ってしまう。そのため、本体部１５２の前面のうち操作部１５４として使用できる領域は限られてしまう。例えば、車載用表示装置としてマルチビューディスプレイを用いた場合、バックライトの光は左右の画像に振り分けられてしまう。そのため、左右の画像の輝度を保つためには、バックライトの輝度を高くすることが求められる。しかしながら、バックライトの輝度を高めるためには、光源である例えば蛍光管または白色ＬＥＤ等の発光部を多く使用するめ、表示部１００の厚くなる。よって、本体部１５２前面の操作部１５４として使用できる領域は一層限られてしまう。
【０００７】
また、例えばＣＤ、ＤＶＤまたはＭＤ等の記憶媒体を挿排口に挿入あるいは排出する場合に、変移した表示部１００の上部が邪魔になるため、表示部１００を十分倒した状態にまで傾斜することが求められる。しかし、このようにすると表示部１００が邪魔にならない位置まで駆動するまでに時間がかかり、操作者に不快感を与えるおそれがある。
【０００８】
本発明は、上記に鑑みなされたものであり、本体部前面の操作部として使用できる領域を拡大することを可能とし、また、表示部の変移を最小限に抑えつつ本体部の前面の露出面を拡大することを可能とする表示装置および車載用表示装置を提供することを目的とする。
【課題を解決するための手段】
【０００９】
本発明は、前面に操作部を有する本体部と、該本体部の前面を覆い、前記本体部の前面から変移させることにより前記操作部を露出することができる表示部と、を具備し、前記操作部を露出させた際に、前記本体部に接近する前記表示部の一端側の表示画面から背面までの厚さが、他端側の表示画面から背面までの厚さよりも薄いことを特徴とする表示装置である。本発明によれば、操作部を操作するため表示部を本体部の前面より変移した際、本体部の前面を覆う表示部の一端が薄いため、操作部として使用できる領域を拡大することができる。また、表示部の変移を最小限に抑えつつ本体部の前面の露出面を拡大することができる。
【００１０】
上記構成において、前記表示部は導光板を有し、前記導光板の前記一端側の厚さは前記他端側の厚さより薄い構成とすることができる。この構成によれば、表示部の一端側の表示画面から背面までの厚さを他端側の表示画面から背面までの厚さより薄くすることができる。
【００１１】
上記構成において、前記表示部は発光部を有し、前記発光部は前記他端側に配置されている構成とすることができる。この構成によれば、表示部の一端側の表示画面から背面までの厚さを他端側の表示画面から背面までの厚さより薄くすることができる。
【００１２】
上記構成において、前記発光部はＬＥＤであって、該ＬＥＤは前記導光板の前記他端側の面に臨むように配置されている構成とすることができる。この構成によれば、導光板の正面側の輝度を高めることができる。
【００１３】
上記構成において、前記表示部は、前記表示部の筐体内の部材を前記一端側よりも前記他端側に寄せて配置されている構成とすることができる。この構成によれば、表示部の一端側の表示画面から背面までの厚さを他端側の表示画面から背面までの厚さより薄くすることができる。
【００１４】
上記構成において、前記表示装置は、共通の表示画面上の第１の画像および第２の画像をそれぞれ異なる方向から視認できるように表示する構成とすることができる。この構成によれば、表示部の厚さが厚くなり易い表示装置においても、本体部前面のうち操作部として使用できる領域を拡大することができる。
【００１５】
本発明は、前面に記憶媒体を挿排する挿排口を有する本体部と、該本体部の前面を覆うように配置される表示部と、前記本体部の前面を露出させるために前記表示部の上部を前記本体部の下方へ変移するように傾動させる駆動部と、を具備し、前記表示部の前記上部の表示画面から背面までの厚みが、前記表示部の下部の表示画面から背面までの厚みより薄いことを特徴とする車載用表示装置である。本発明によれば、特に、表示部が本体部の前面を覆い、本体部の前面に記憶媒体の挿排口を配置する構成を採用することの多い車載用表示装置において、挿排口への記憶媒体の挿排を容易とする。また、表示部の変移を最小限に抑えつつ本体部の前面の露出面を拡大することができる。
【発明の効果】
【００１６】
本発明によれば、本体部前面の操作部として使用できる領域を拡大することを可能とし、また、表示部の変移を最小限に抑えつつ本体部の前面の露出面を拡大することを可能とする表示装置および車載用表示装置を提供することができる。
【発明を実施するための最良の形態】
【００１７】
以下、本発明の実施例につき図面を参照に説明する。
【実施例１】
【００１８】
実施例１は、マルチビューディスプレイを用いた車載用表示装置の例である。図３（ａ）および図３（ｂ）は本発明の原理を説明するための模式図である。図３（ａ）は従来の表示装置の側面図である。表示部１００が本体部１５２の前面の一部を表示部１００が横向きの状態で覆っている。従来の表示装置の表示部１００は、本体部１５２側となる側である表示部１００の上側（つまり、操作部１５４を露出した際に、本体部１５２に接近する表示部１００の一端側）の厚さＴ１ａと上側の反対側である下側（他端側）の厚さＴ２ａはほぼ同じである。この場合、本体部１５２の前面のうち操作部１５４として使用できる領域はＲａとなる。図３（ｂ）は実施例１に係る表示装置の側面図である。実施例１においては、表示部１００の上側の厚さＴ１が下側の厚さＴ２より薄い。このため、本体部１５２の前面のうち操作部１５４として使用できる領域Ｒを、図３（ａ）の領域Ｒａに比べ拡大することができる。
【００１９】
以下、実施例１の具体的な構成について説明する。図４は実施例１に係るマルチビュー表示装置の基本構成を説明するための図である。この表示装置は、図４に示すように、表示制御手段としての表示制御部１０、表示手段としての表示部１００等から構成されている。表示制御部１０は、供給源としての第１の画像ソース３００Ａから画像データＤＴ１が供給されると共に供給源としての第２の画像ソース３００Ｂから画像データＤＴ２が供給されて、これら第１及び第２の画像データＤＴ１，ＤＴ２からなる画像データＡＤＴを共通の表示部１００へ出力する。尚、表示制御部１０の具体的な構成については後述する。また、第１及び第２の画像ソース３００Ａ,３００Ｂは、後述するカメラ、ＴＶ受信部、ＤＶＤ再生部、ＨＤ再生部、ナビゲーション部等で構成される。
【００２０】
表示部１００は、後述するように、液晶パネル、バックライト、視差バリア等から構成されており、第１の画像データＤＴ１に基づく第１の画像ＩＭ１を右方向から観察者ＯＢＲが視認できると共に第２の画像データＤＴ２に基づく第２の画像ＩＭ２を左方向から観察者ＯＢＬが視認できるように共通の表示画面に表示する。尚、表示部１００の具体的な構成については後述する。
【００２１】
実施例１に係る車載用表示装置の表示部１００は、図５に示すように、車両のダッシュボード部分の運転席ＤＳと助手席ＡＳとの間に配置される。また、表示部１００には、表示装置を手動で操作するための操作ボタン部１５０が設けられている。図５に示すケースにおいては、運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された異なる第１の画像ＩＭ１及び第２の画像ＩＭ２を同時に観ることができる。
【００２２】
図６ないし図１２は実施例１に係る表示装置の具体的な構成を示す図であって、図６は表示装置の機能ブロック図、図７は制御部の構成を示す機能ブロック図、図８は第１及び第２の画質調整回路の機能ブロック図、図９は画像出力部の機能ブロック図、図１０は液晶パネルの断面構造及び作用を説明するための図、図１１は液晶パネルの正面図、及び図１２１はＴＦＴ基板の回路図である。
【００２３】
この表示装置は、図６に示すように、表示部１００加えて、制御部２０、分配回路３０、第１及び第２の画質調整回路５０Ａ，５０Ｂ、画像出力部７０等から構成されている。尚、上記した表示制御部１０は、制御部２０、分配回路３０、第１及び第２の画質調整回路５０Ａ，５０Ｂ、画像出力部７０等から構成される。
【００２４】
制御部２０は、図７に示すように、プロセッサ（ＣＰＵ）２１、インターフェース２２、ＲＯＭ２３、ＲＡＭ２４等から構成され、ＲＯＭ２３に記憶されたプログラムに従って表示装置を総合的に制御する。また、制御部２０は、後述するように、表示部１００に表示される第１の画像ＩＭ１及び第２の画像ＩＭ２の重なりにより互いに隔てられた第１の画像ＩＭ１の可視範囲と第２の画像ＩＭ１の可視範囲とを、第１の画像ＩＭ１及び第２の画像ＩＭ２の少なくとも一方の画質を調整して所定範囲になるように制御する。
【００２５】
制御部２０は、図６に示すように、車両に搭載されて画像や音声を供給する供給源としての、車両の周囲等を撮像するカメラ３１０、音楽や画像を再生するＣＤ／ＭＤ（コンパクトディスク／ミニディスク）再生部３２０、アンテナからラジオ放送波を受信するラジオ受信部３３０、アンテナからセレクタ３４１を介してＴＶ放送波を受信するＴＶ受信部３４０、ＤＶＤ（から音楽情報や画像を再生するＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０等と接続されて、これらとの間でデータを授受すると共にこれらをコントロールする。
【００２６】
また、制御部２０には、各種データを記憶する外部メモリ１４０、表示装置を操作するための操作ボタン部１５０、表示装置をリモコン操作するためのリモコン１７１との間で赤外線信号や無線信号を送受するリモコン送受信部１７０、車両に備わるライトスイッチや光センサで構成されて車両内の明るさを検知する明るさ検知センサ１９０、運転席や助手席に設けられる感圧センサ等で構成されて車両の乗員を検出する乗員検知センサ２００等が接続され、制御部２０は、これらから得られる各種データに基づいて各種制御が可能となっている。
【００２７】
分配回路３０は、図６に示すように、上記したカメラ３１０、ＣＤ／ＭＤ再生部３２０、ラジオ受信部３３０、ＴＶ受信部３４０、ＤＶＤ再生部３５０、ＨＤ再生部３６０、ナビゲーション部３７０等から供給される音声データや画像データを、制御部２０からの制御指令に応じて、音声調整回路６０、第１の画質調整回路５０Ａ、あるいは、第２の画質調整回路５０Ｂへ分配する。
【００２８】
音声調整回路６０は、図６に示すように、分配回路３０から供給された音声データを調整してスピーカ６１へ出力する。
【００２９】
第１及び第２の画質調整回路５０Ａ，５０Ｂは、図８に示すように、それぞれコントラスト調整部５１、輝度調整部５２、色調調整部５３、ガンマ値調整部５４等から構成され、制御部２０からの制御指令に応じて、第１及び第２の画像データの画質（コントラスト、輝度、色調、ガンマ値）をそれぞれ調整する。
【００３０】
画像出力部７０は、図９に示すように、第１及び第２の画質調整回路５０Ａ，５０Ｂにおいてそれぞれ画質調整された第１及び第２の画像データがそれぞれ書き込まれる第１及び第２の書込回路７１，７２、ＶＲＡＭ（Video RAM）７３、液晶パネル駆動部７４等から構成されている。第１及び第２の書込回路７１、７２は、第１及び第２の画質調整回路５０Ａ，５０Ｂで画質調整された第１及び第２の画像データを合成すべく、ＶＲＡＭ７３の所定アドレスにそれぞれ書き込む。
【００３１】
ＶＲＡＭ７３は、第１及び第２の画像データを合成した画像データを保持する。この合成した画像データは、表示部１００の各画素にそれぞれ対応している。液晶パネル駆動部７４は、後述する液晶パネル１１０を駆動する回路であり、ＶＲＡＭ７３に保持されている合成画像データに基づいて、液晶パネル１１０の対応する画素を駆動する。
【００３２】
表示部１００は、図１０に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。
【００３３】
液晶パネル１１０は、図１１に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。
【００３４】
この液晶パネル１１０は、図１０及び図１１に示すように、例えば、水平方向に８００画素、垂直方向に４８０画素が配列された表示画面を有すると共に、この表示画面には、水平方向において左側表示用画素１１８（以下、助手席側表示用画素１１８ともいう。）と右側表示用画素１１９（以下、運転席側表示用画素１１９ともいう。）とが交互に配列されて構成されている。
【００３５】
視差バリア１１５は、図１０及び図１１に示すように、ストライプ状に形成されて遮蔽部と透光部を有し、その遮蔽部は隣接する左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図９に示すように、液晶パネル１１０の右側（運転席側）からは第１の画像ＩＭ１が視認でき、左側（助手席側）からは第２の画像ＩＭ２が視認できるようになっている。尚、視差バリア１１５は、特開平１０−１２３４６１号公報や特開平１１−８４１３１号公報等に開示されているものと同様のものを使用できる。
【００３６】
ＴＦＴ基板１１２は、図１２に示すように、データ線駆動回路ＤＲ１、走査線駆動回路ＤＲ２、垂直方向に配列された走査線ＳＣＬ、水平方向に配列されたデータ線ＤＴＬ、走査線ＳＣＬとデータ線ＤＴＬとの交差する領域毎に形成されたＴＦＴ素子ＥＬ、に対応して形成された画素電極ＥＰ等を備え、走査線ＳＣＬ及びデータ線ＤＴＬで囲まれた各領域がサブピクセルＳＢＰを構成しており、データ線ＤＴＬに沿う各列のサブピクセルＳＢＰは交互に左側表示用画素１１８と右側表示用画素１１９とに割り当てられる。データ線駆動回路ＤＲ１は、液晶パネル駆動部７４によりその駆動タイミングを制御されて、画素電極ＥＰへの印加電圧を制御する。走査線駆動回路ＤＲ２は、液晶パネル駆動部７４によりその駆動タイミングを制御されて、ＴＦＴ素子ＥＬを選択走査する。
【００３７】
図１３は表示部１００の断面図である。表示部１００は図２の説明と同様に駆動する。つまり、駆動部である表示部１００の側面に設けられた駆動用ピンおよび本体部１５２に形成され駆動用溝１５３により、表示部１００の上部を本体部１５２の下方へ変移させるよう傾動させ表示部を移動させることができる。図１３の上が本体部１５２の前面を覆う状態で上側（つまり操作部１５４を露出した際に、本体部１５２に接近する表示部１００の一端側）、図１３の下、左、右がそれぞれ下側（他端側）、正面側、背面側である。
【００３８】
表示部１００の正面側は表示画面１０２となっており、下側に操作ボタン部１５０、上側にタッチパネル用のスイッチ部１０４が設けられている。表示パネルが表示部１００の正面側に配置され、表示画面１０２は表示パネル１１０の正面に設けられている。表示パネル１１０の背面側には基板４１２が配置され、基板４１２上には表示パネル１１０を制御するための回路を構成する電子部品４１４が設けられている。表示部の表示画面１０２以外は筐体４１０により覆われている。
【００３９】
表示部１００の上側の前面から背面４１１までの厚さＴ１は、表示画面１０２から正面側に突出したタッチパネルのスイッチ部１０４の厚さＴ１１と表示画面１０２から表示部１００背面４１１までの厚さＴ２１の和である。一方、表示部１００の下側の前面から背面４１１までの厚さＴ２は、表示画面１０２から正面側に突出した操作ボタン部１５０の厚さＴ１２と表示画面１０２から表示部１００背面４１１までの厚さＴ２２の和である。Ｔ１は例えば２４ｍｍ、Ｔ２は例えば３３．５ｍｍであり、Ｔ２１は例えば２１ｍｍ、Ｔ２２は例えば２４．５ｍｍである。
【００４０】
図１４は表示部１００の正面図である。表示画面１０２の下側および右側に複数の操作ボタン１５１を有する操作ボタン部１５０が設けられている。図１５は本体部１５２の正面図である。操作部１５４には、ＣＤ／用挿排口１５５、ＭＤ用挿排口１５６、ＨＤＤ用コネクタ挿排口１５７、表示部１００とのコネクタ挿排口１５９、換気口１５８が配置されている。ここで、ＣＤ／ＤＶＤ用挿排口１５５、ＭＤ用挿排口１５６、ＨＤＤ用コネクタ挿排口１５７は、表示部１００が開放した状態で前面より操作可能であることが求められる。なお、図１４では表示部１００の側端（右側）にも操作ボタン１５１を配置しているが、これには限られない。例えば、表示部１００の下側にのみ操作ボタン１５１を設けることもできる。
【００４１】
図１６（ａ）は表示パネル１０１の断面図、図１６（ｂ）は図１６（ａ）の円内の拡大図である。表示パネル１０１の正面側には液晶パネル１１０が設けられている。液晶パネル１１０の構成は図１０と同じであり説明を省略する。液晶パネル１１０の背面側には導光板１２１が設けられている。導光板１２１の下側には白色ＬＥＤ（Ｌｉｇｈｔ  Ｅｍｉｔｔｉｎｇ  Ｄｉｏｄｅ）４００を配置したＬＥＤアレイ４０２が設けられている。白色ＬＥＤ４００を出射した光は導光板１２１内に入射し正面側より出射される。このように、白色ＬＥＤ４０２を配置したＬＥＤアレイ４０２および導光板１２１は図１０のバックライト１２０として機能する。表示パネルの上側の厚さＴ３１は例えば６．５ｍｍ、下側の厚さＴ３２は例えば９ｍｍである。
【００４２】
実施例１によれば、図１３のように、表示部１００の上側（表示部１００の上部、つまり本体部１５２に接近する表示部１００の一端側）の表示画面１０２から背面４１１までの厚さＴ２１が表示部１００の下側（表示部１００の下部、つまり他端側）の表示画面１０２から背面４１１までの厚さＴ２２より薄い。これにより、図３（ｂ）のように、本体部１５２の前面に操作部１５４として使用できる領域Ｒを拡大することができる。また、表示部１００の傾斜が少ない状態でも操作部１５４として使用できる領域を十分に確保することができるため、表示部１００を駆動する時間を短縮することができる。このように、表示部１００の変移を最小限に抑えつつ本体部の前面の露出面を拡大することができる。特に、表示部１００の上側の表示部１００の前面から背面４１１までの厚さＴ１が、下側の表示画面１０２から背面４１１までの厚さＴ２２より薄いことが好ましい。これにより、実施例１のように、表示部１００の上側に表示画面１０２より突出する部材が配置されている場合であっても、本体部１５２の前面に操作部１５４として使用できる領域Ｒを拡大することができる。図１５のように、本体部１５２の前面にＣＤ／ＤＶＤ挿排口１５５、ＭＤ挿排口１５６およびＨＤＤ用コネクタ挿排口１５７を配置した場合も容易にこれらを操作することができる。
【００４３】
図１６（ａ）を参照に、表示部１００は表示パネル１０１を有し、表示パネル１０１の上側の厚さＴ３１は下側の厚さＴ３２より薄いことが好ましい。このように、表示パネル１０１の上側の厚さＴ３１を下側の厚さＴ３２より薄くすることにより、表示部１００の上側の厚さＴ２１を下側の厚さＴ２２より薄くすることができる。表示部１００は導光板１２１を有し、導光板１２１の上側（一端側）の厚さは下側（他端側）の厚さより薄いことが好ましい。これにより、表示部１００の上側の厚さＴ２１を下側の厚さＴ２２より薄くすることができる。
【００４４】
図１６（ｂ）のように、表示部１００は発光部（例えば白色ＬＥＤ４００）を有し、発光部は下側（他端側）に配置されることが好ましい。このように、白色ＬＥＤ４００を上側には設けず、下側に設けることにより、上側の表示パネル１０１の厚さを薄くできる。さらに、白色ＬＥＤ４００は導光板の下側（他端側）の面に臨むように配置することが好ましい。このように、導光板１２１の上側の厚さを下側の厚さより薄くし、下側から白色ＬＥＤ４００の光を入射することにより、導光板１２１の正面側の輝度を高めることができる。さらに、発光部として白色ＬＥＤ４００を用いることにより、例えば蛍光管に比べ発光部の輝度を高めることができるため、導光板１２１の下側にのみ発光部を配置することができる。よって、表示パネル１０１の上側の厚さＴ３１を下側Ｔ３２の厚さより厚くすることができる。よって、表示部１００の上側の厚さＴ２１を下側の厚さＴ２２より薄くすることができる。
【００４５】
図１５のように、操作部１５４にはＣＤ、ＤＶＤ、ＭＤ、半導体メモリ媒体等の記憶媒体を挿入する挿排口１５５、１５６が設けられていることが好ましい。このような記憶媒体の挿抜は記憶媒体を掴み行うため、特に本体部１５２の前面に操作部１５４としての領域が必要となる。よって、本発明を適用することが特に有効である。
【００４６】
さらに、実施例１のように、共通の表示画面上の第１の画像および第２の画像をそれぞれ異なる方向から視認できるように表示するマルチビューディスプレイは、バックライト１１０の高輝度化が求められるため、表示部１００の厚さが厚くなるため、本発明を適用することが特に有効である。
【００４７】
さらに、表示パネル１０１の上側の厚さＴ３１を下側の厚さＴ３２より薄くする方法でなくとも、例えば、表示部１００の筐体４１０内の部材４１４を上側よりも下側に寄せて配置することにより、表示部１００の上側の厚さＴ２１を下側の厚さＴ２２より薄くすることもできる。
【００４８】
本発明は車載用表示装置以外の表示装置に適用することもできる。しかしながら、車載用表示装置表示部は、本体部の前面を覆い、本体部の前面に記憶媒体の挿排口を配置する構成を採用することの多い。よって、実施例１のように、本発明を車載用表示装置に適用することは特に有効である。
【００４９】
なお、実施例１においては、表示部１００の上部を本体部１５２の下方へ変移させるよう傾動させ表示部を移動させることにより操作部１５４を露出している。このように、本体部１５２に接近する表示部１００の一端側が表示部１００の上側となる例であったが、表示部１００の変移方向に合わせて、本体部１５２に接近する表示部１００の一端側の表示部１００の厚さを他端側の厚さより薄くすればよい。
【００５０】
本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００５１】
【図１】図１は従来の表示装置の外観図（その１）である。
【図２】図２は従来の表示装置の外観図（その２）である。
【図３】図３（ａ）は従来の表示装置の側面模式図、図３（ｂ）は実施例１に係る表示装置の側面模式図である。
【図４】図４は実施例１に係る表示装置の基本構成を説明するための図である。
【図５】図５は表示装置の車両への適用例を示す斜視図である。
【図６】図６は表示装置の構成を示す機能ブロック図である。
【図７】図７は制御部の構成を示す機能ブロック図である。
【図８】図８は第１及び第２の画質調整回路の構成を示す機能ブロック図である。
【図９】図９は画像出力部の構成を示す機能ブロック図である。
【図１０】図１０は表示部の断面構造を示す図である。
【図１１】図１１は液晶パネルの正面図である。
【図１２】図１２はＴＦＴ基板の回路図である。
【図１３】図１３は表示部の断面図である。
【図１４】図１４は表示部の正面図である。
【図１５】図１５は本体部の正面図である。
【図１６】図１６（ａ）は表示パネルの断面図、図１６（ｂ）は図１６（ａ）の円内の拡大図である。
【符号の説明】
【００５２】
１０                表示制御部
２０                制御部
３０                分配回路
５０Ａ，５０Ｂ      第１及び第２の画質調整回路
６０                音声調整回路
７０                画像出力部
１００              表示部
１０１              表示パネル
１０２              表示画面
１１０              液晶パネル
１２０              バックライト
１３０              タッチパネル
１４０              メモリ
１５０              操作ボタン部
１５１              操作ボタン
１５２              本体部
１５３              駆動用溝
１５４              操作部
１５５              ＣＤ／ＤＶＤ挿排口
１５６              ＭＤ挿排口
１５７              ＨＤＤコネクタ挿入部
１７０              リモコン送受信部
１９０              明るさ検知センサ
２００              乗員検知センサ
３００Ａ，３００Ｂ  画像ソース
３１０              カメラ
３２０              ＣＤ／ＭＤ再生部
３３０              ラジオ受信部
３４０              ＴＶ受信部
３５０              ＤＶＤ再生部
３６０              ＨＤ再生部
３７０              ナビゲーション部
４００              白色ＬＥＤ
４０２              ＬＥＤアレイ
４１０              筐体
４１１              背面
４１２              基板
４１４              部品
【図１】
2007283873.tif 000003
【図２】
2007283873.tif 000004
【図３】
2007283873.tif 000005
【図４】
2007283873.tif 000006
【図５】
2007283873.tif 000007
【図６】
2007283873.tif 000008
【図７】
2007283873.tif 000009
【図８】
2007283873.tif 000010
【図９】
2007283873.tif 000011
【図１０】
2007283873.tif 000012
【図１１】
2007283873.tif 000013
【図１２】
2007283873.tif 000014
【図１３】
2007283873.tif 000015
【図１４】
2007283873.tif 000016
【図１５】
2007283873.tif 000017
【図１６】
2007283873.tif 000018
【手続補正書】
【提出日】平成18年9月1日(2006.9.1)
【手続補正１】
【補正対象書類名】特許請求の範囲
【補正対象項目名】請求項１
【補正方法】変更
【補正の内容】
【請求項１】
前面に操作部を有する本体部と、
該本体部の前面を覆った状態で表示画面が露出され、前記本体部の前面から変移させることにより前記操作部を露出することができる表示部と、を具備し、
前記操作部を露出させた際に、前記本体部に接近する前記表示部の一端側の表示画面から背面までの厚さが、他端側の表示画面から背面までの厚さよりも薄いことを特徴とする表示装置。
【手続補正２】
【補正対象書類名】明細書
【補正対象項目名】０００９
【補正方法】変更
【補正の内容】
【０００９】
本発明は、前面に操作部を有する本体部と、該本体部の前面を覆った状態で表示画面が露出され、前記本体部の前面から変移させることにより前記操作部を露出することができる表示部と、を具備し、前記操作部を露出させた際に、前記本体部に接近する前記表示部の一端側の表示画面から背面までの厚さが、他端側の表示画面から背面までの厚さよりも薄いことを特徴とする表示装置である。本発明によれば、操作部を操作するため表示部を本体部の前面より変移した際、本体部の前面を覆う表示部の一端が薄いため、操作部として使用できる領域を拡大することができる。また、表示部の変移を最小限に抑えつつ本体部の前面の露出面を拡大することができる。